【手続補正書】
【提出日】平成24年5月18日(2012.5.18)
【手続補正１】
【補正対象書類名】特許請求の範囲
【補正対象項目名】全文
【補正方法】変更
【補正の内容】
【特許請求の範囲】
【請求項１】
撮影画像を撮影日時に基づく順番で表示部に表示させる表示制御装置において、
上記表示部に表示される画像のサイズを当該撮影画像の内容に応じて設定するサイズ設
定部と、
上記撮影画像に基づく複数の画像が撮影日時に基づく順番で並べられ、かつ複数の画像
の大きさが上記設定されたサイズで表示されるインデックス画像と、当該インデックス画
像として表示される撮影画像の撮影日時に関する情報を表わす時間軸の画像との、少なく
とも２つの画像を含むインデックス画面を上記表示部に表示させる表示制御部とを備える
ことを特徴とする表示制御装置。
【請求項２】
被写体の種類を指定する指定部を更に備え、
上記サイズ設定部は、上記各インデックス画像のサイズを、上記撮影画像の被写体と上記指定部が指定した被写体の種類を比較して設定する
ことを特徴とする請求項１に記載の表示制御装置。
【請求項３】
撮影時に設定されたシーンモードの種類あるいは各撮影画像の被写体の特徴から被写体の種類を判断する被写体判断部と、
被写体の種類をキーワードで指定するキーワード指定部を更に備え、
上記サイズ設定部は、上記キーワードで入力された被写体の種類と上記被写体判断部によって判断された各撮影画像の被写体の種類を比較して、上記サイズを設定する
ことを特徴とする請求項２に記載の表示制御装置。
【請求項４】
表示される撮影画像に対する切換え操作として第１の操作と第２操作の少なくとも２つの操作を受け付ける操作受付部を更に備え、
上記表示制御部は、撮影画像を表示させる画面として、上記インデックス画面と上記撮影画像を１枚づつ表示させる単独画面を切換え可能とし、
上記単独画面で上記の第１の操作を受付けた場合には、表示される撮影画像を撮影日時に基づく順番で切換えることを特徴とし、
さらに上記単独画面の表示中に上記第２の操作を受付けた場合には、当該単独画面から上記インデックス画面に画面を切換えてさらに当該第２の操作に応じて当該インデックス画面に表示されるインデックス画像を順番に切換えながら表示させることを特徴とし、
さらに上記インデックス画面の表示中に当該第１の操作を受付けた場合には、当該インデックス画面から上記単独画面に画面を切換えることを特徴とする
請求項１または２に記載の表示制御装置。
【請求項５】
上記第１の操作と上記第２操作が入力される入力操作部として、回動操作されるジョグダイヤル及び押下操作される操作ボタンを備え、
上記操作受付部は、上記ジョグダイヤルからの回動操作があった場合には、当該回動操作が低速の場合には当該回動操作を上記第１の操作として受付け、当該回動操作が高速の場合には当該回動操作を上記第２の操作として受付け、
上記操作ボタンからの押下操作があった場合には、当該押下操作が単発操作の場合には当該押下操作を上記第１の操作として受付け、当該押下操作が連続押下操作の場合には当該押下操作を第２の操作として受け付ける
ことを特徴とする請求項４に記載の表示制御装置。
【請求項６】
上記表示制御部は、上記撮影画像に関しての、撮影日時に対する撮影枚数の分布を示すヒストグラム情報を上記時間軸の対応する位置に表示させる
ことを特徴とする請求項１乃至４のいずれか１項に記載の表示制御装置。
【請求項７】
上記表示制御部は、上記時間軸のフルスケールを、表示されるインデックス画像の撮影日時の最古日時と最新日時の間より広く設定し、当該表示されているインデックス画像の撮影日時の範囲を当該時間軸に表示させ、かつ、表示されているインデックス画像の中で特定のインデックス画像の撮影日時を示す上記時間軸上の位置にマークを表示させる
ことを特徴とする請求項１乃至４のいずれか１項に記載の表示制御装置。
【請求項８】
撮影画像を撮影日時に基づく順番で表示部に表示させる表示制御装置を実現させるプロ
グラムであって、
表示される画像のサイズを当該撮影画像の内容に応じて設定するステップと、
上記撮影画像に基づく複数の画像が撮影日時に基づく順番で配置されかつ複数の画像の
大きさが上記設定されたサイズであるインデックス画像と、当該インデックス画像の撮影
日時に関する情報を表わす時間軸の画像との、少なくとも２つの画像を含むインデックス
画面を上記表示部に表示させるステップと、
作成された上記インデックス画面の画像を表示部に表示させるステップを含む
ことを特徴とするプログラム。
【手続補正２】
【補正対象書類名】明細書
【補正対象項目名】００１０
【補正方法】変更
【補正の内容】
【００１０】
第２の発明による表示制御装置では、上記第１の発明において、被写体の種類を指定する指定部を更に備え、上記サイズ設定部は、上記インデックス画像のサイズを、上記撮影画像の被写体と指定された被写体の種類を比較して設定することを特徴とする。
これにより、希望画像が的確に表示されるようになる。
【手続補正３】
【補正対象書類名】明細書
【補正対象項目名】００１１
【補正方法】変更
【補正の内容】
【００１１】
第３の発明による表示制御装置では、上記第２の発明において、撮影時に設定されたシーンモードの種類あるいは各撮影画像の被写体の特徴から被写体の種類を判断する被写体判断と被写体の種類をキーワードで指定するキーワード指定部を更に備え、上記サイズ設定部は、キーワードで入力された被写体の種類と上記被写体判断部によって判断された各撮影画像の被写体の種類を比較して、上記サイズを設定する
ことを特徴とする。
これにより、ユーザーは簡単な入力により、希望画像の種類を指定することができる。
【手続補正４】
【補正対象書類名】明細書
【補正対象項目名】００１２
【補正方法】変更
【補正の内容】
【００１２】
第４の発明による表示制御装置では、上記第１または第２の発明において、表示される撮影画像に対する切換え操作として第１の操作と第２操作の少なくとも２つの操作を受け付ける操作受付部を更に備え、上記表示制御部は、撮影画像を表示させる画面として、上記インデックス画面と上記撮影画像を１枚づつ表示させる単独画面を切換え可能とし、上記単独画面で上記の第１の操作を受付けた場合には、表示される撮影画像を撮影日時に基づく順番で切換えることを特徴とし、さらに上記単独画面の表示中に上記第２の操作を受付けた場合には、当該単独画面から上記インデックス画面に画面を切換えてさらに当該第２の操作に応じて当該インデックス画面に表示されるインデックス画像を順番に切換えながら表示させることを特徴とし、さらに上記インデックス画面の表示中に当該第１の操作を受付けた場合には、当該インデックス画面から上記単独画面に画面を切換える  ことを特徴とする。
これにより、画面の切換えを簡単な操作で行うことができる。
【手続補正５】
【補正対象書類名】明細書
【補正対象項目名】００１３
【補正方法】変更
【補正の内容】
【００１３】
第５の発明による表示制御装置では、上記第４の発明において、上記第１の操作と上記第２操作が入力される入力操作部として、回動操作されるジョグダイヤル及び押下操作される操作ボタンを備え、上記操作受付部は、上記ジョグダイヤルからの回動操作があった場合には、当該回動操作が低速の場合には当該回動操作を上記第１の操作として受付け、当該回動操作が高速の場合には当該回動操作を上記第２の操作として受付け、上記操作ボタンからの押下操作があった場合には、当該押下操作が単発操作の場合には当該押下操作を上記第１の操作として受付け、当該押下操作が連続押下操作の場合には当該押下操作を第２の操作として受け付ける  ことを特徴とする。
これにより、ユーザーの好みの操作部材を選択することもできる。
【手続補正６】
【補正対象書類名】明細書
【補正対象項目名】００１４
【補正方法】変更
【補正の内容】
【００１４】
第６の発明による表示制御装置では、上記第１から第４の発明のいずれかの発明において、上記撮影画像に関しての、撮影日時に対する撮影枚数の分布を示すヒストグラム情報を上記時間軸の対応する位置に表示させる  ことを特徴とする。
これにより、希望画像の検索時に大きな手がかりとなる撮影頻度の情報が、インデックス画像とともに表示されるので、ユーザーの検索手がかりが増える。また、通常の閲覧時にも便利である。
【手続補正７】
【補正対象書類名】明細書
【補正対象項目名】００１５
【補正方法】変更
【補正の内容】
【００１５】
第７の発明による表示制御装置では、上記第１から第４の発明のいずれかの発明において、上記表示制御部は、上記時間軸のフルスケールを、表示されるインデックス画像の撮影日時の最古日時と最新日時の間より広く設定し、当該表示されているインデックス画像の撮影日時の範囲を当該時間軸に表示させ、かつ、表示されているインデックス画像の中で特定のインデックス画像の撮影日時を示す上記時間軸上の位置にマークを表示させる  ことを特徴とする。これにより、時間軸上で現在表示されているインデックス画像の撮影日時範囲を簡単に確認することができる。